(57)【要約】  動作中に混色光を放出するオプトエレクトロニクス半導体素子（５）を提供する。当該オプトエレクトロニクス半導体素子（５）は、オプトエレクトロニクス半導体チップ（１）と、湾曲が施された変換部材（４）と、スペーサ部材（３）とを有し、当該スペーサ部材（３）はオプトエレクトロニクス半導体チップ（１）と変換部材（４）との間に配置されており、当該スペーサ部材（３）の、変換部材（４）の方を向いた表面（３Ａ）は湾曲しており、変換部材（４）は当該湾曲した表面（３Ａ）と直接接触する。
2015537390.tif 000002
【特許請求の範囲】
【請求項１】
動作中に混色光を放出するオプトエレクトロニクス半導体素子（５）であって、
・光出射面（１Ａ）と、当該光出射面（１Ａ）に対して横方向に延在する少なくとも１つの側面（１Ｂ）とを有し、かつ、動作中に当該光出射面（１Ａ）に１次光（６Ａ）を透過させて放出するオプトエレクトロニクス半導体チップ（１）、
・前記１次光（６Ａ）の少なくとも一部を２次光（６Ｂ）に波長変換するように構成された変換部材（４）、および、
・スペーサ部材（３）
を有し、
前記変換部材（４）には湾曲が施されており、
前記変換部材（４）は前記オプトエレクトロニクス半導体チップ（１）上に配置されており、
前記スペーサ部材（３）は前記オプトエレクトロニクス半導体チップ（１）と前記変換部材（４）との間に配置されており、
前記スペーサ部材（３）の、前記変換部材（４）の方を向いた表面（３Ａ）は湾曲しており、
前記変換部材（４）は、前記湾曲した表面（３Ａ）と直接接触する
ことを特徴とするオプトエレクトロニクス半導体素子（５）。
【請求項２】
前記変換部材（４）は、前記湾曲した表面（３Ａ）に設けられた、均一な厚さの層である、
請求項１記載のオプトエレクトロニクス半導体素子（５）。
【請求項３】
前記スペーサ部材（３）の、前記変換部材（４）の方を向いた湾曲した表面（３Ａ）は、前記変換部材（４）により完全に覆われている、
請求項１または２記載のオプトエレクトロニクス半導体素子（５）。
【請求項４】
前記少なくとも１つの側面（１Ｂ）は前記変換部材（４）により覆われている、
請求項１から３までのいずれか１項記載のオプトエレクトロニクス半導体素子（５）。
【請求項５】
前記スペーサ部材（３）の、前記変換部材（４）の方を向いた湾曲した表面（３Ａ）は、凸面状に湾曲している、
請求項１から４までのいずれか１項記載のオプトエレクトロニクス半導体素子（５）。
【請求項６】
前記スペーサ部材（３）は前記光出射面（１Ａ）と直接接触する、
請求項１から５までのいずれか１項記載のオプトエレクトロニクス半導体素子（５）。
【請求項７】
前記少なくとも１つの側面（１Ｂ）は前記スペーサ部材（３）により覆われていない、
請求項１から６までのいずれか１項記載のオプトエレクトロニクス半導体素子（５）。
【請求項８】
前記スペーサ部材（３）は前記１次光（６Ａ）に対して透過性である、
請求項１から７までのいずれか１項記載のオプトエレクトロニクス半導体素子（５）。
【請求項９】
前記スペーサ部材（３）は、透明プラスチック材料から成る、
請求項１から８までのいずれか１項記載のオプトエレクトロニクス半導体素子（５）。
【請求項１０】
前記変換部材（４）表面に配置された光学部材（７）を備える、
請求項１から９までのいずれか１項記載のオプトエレクトロニクス半導体素子（５）。
【請求項１１】
前記光学部材（７）は、前記半導体チップ（１）から見て下流であって、かつ、当該半導体チップ（１）の前記光出射面（１Ａ）と前記少なくとも１つの側面（１Ｂ）とに付着して配置されている、
請求項１０記載のオプトエレクトロニクス半導体素子（５）。
【請求項１２】
前記光学部材（７）は、ビーム成形用に構成されたレンズである、
請求項１０または１１記載のオプトエレクトロニクス半導体素子（５）。
【請求項１３】
前記オプトエレクトロニクス半導体チップ（１）は、面発光型薄膜半導体チップである、
請求項１から１２までのいずれか１項記載のオプトエレクトロニクス半導体素子（５）。
【請求項１４】
動作中に混色光を放出するオプトエレクトロニクス半導体素子（５）の製造方法であって、
・光出射面（１Ａ）と、当該光出射面（１Ａ）に対して横方向に延在する少なくとも１つの側面（１Ｂ）とを有するオプトエレクトロニクス半導体チップ（１）であって、動作中に当該光出射面（１Ａ）に透過させて１次光（６Ａ）を放出するオプトエレクトロニクス半導体チップ（１）を準備するステップと、
・材料バルクを前記光出射面（１Ａ）に設けて、材料バルクの表面張力により、湾曲した表面（３Ａ）を生じさせて、スペーサ部材（３）を形成するステップと、
・前記スペーサ部材（３）の前記湾曲した表面（３Ａ）に変換材料を被着させることにより、湾曲した変換部材（４）を形成するステップと
を有することを特徴とする製造方法。
【請求項１５】
スプレー成膜法を用いて、前記変換材料を前記湾曲した表面（３Ａ）に塗布する、
請求項１４記載の製造方法。
【請求項１６】
前記変換部材（４）と前記スペーサ部材（３）とが設けられた前記半導体チップ（１）に、光学部材（７）を一体成形する、
請求項１４または１５記載の製造方法。
【発明の詳細な説明】
【技術分野】
【０００１】
動作中に混色光を放出するオプトエレクトロニクス半導体素子を提供する。さらに、動作中に混色光を放出するオプトエレクトロニクス半導体素子の製造方法も提供する。
【０００２】
たとえば WO2010/022699 に、混色光を放出するオプトエレクトロニクス素子が記載されている。混色光を放出するために当該素子は、発光半導体チップと、当該発光半導体チップを覆う変換部材とを含む。半導体チップから離隔して配置される、３次元構造のこの変換部材は、「リモートフォスファ」部材と称される。この素子は、その３次元構造に起因して比較的高い変換効率を示すが、半導体チップよりも格段に大きな寸法を有する。
【０００３】
本発明の解決すべき課題は、動作中に１次光を２次光に効率的に変換できる、コンパクトなオプトエレクトロニクス半導体素子を実現することである。また、上述のようなオプトエレクトロニクス半導体素子の製造方法を実現することも課題とする。
【０００４】
前記課題は、独立請求項にて特定した物および方法の発明により解決される。
【０００５】
従属請求項に、独立請求項の物および方法の発明の実施形態および発展形態が記載されており、また、以下の記載および図面からも、当該物および方法の有利な実施形態等が明らかである。
【０００６】
少なくとも１つの実施形態では、オプトエレクトロニクス半導体素子は、動作中に１次光を生成するオプトエレクトロニクス半導体チップを有する。この１次光には、第１の（ピーク波長）または第１の波長領域を割り当てることができ、この第１の（ピーク波長）または第１の波長領域は特に可視光領域である。
【０００７】
有利には、前記オプトエレクトロニクス半導体素子は、前記１次光を生成するための活性領域を含む半導体積層体を有する。前記活性領域は、ｐｎ接合、ダブルへテロ構造、単一量子井戸構造（ＳＱＷ構造）または多重量子井戸構造（ＭＱＷ構造）を含むことができる。
【０００８】
前記半導体積層体は活性領域の他に、更に他の機能層や機能領域を含むこともでき、たとえばｐ型ドープもしくはｎ型ドープされたキャリア輸送層、アンドープまたはｐ型ドープまたはｎ型ドープされた閉じ込め層、クラッド層または導波層、バリア層、平坦化層、バッファ層、保護層およびこれらの組み合わせを含むこともできる。半導体積層体はエピタクシー法を用いて、たとえば有機金属気相エピタクシー法（ＭＯＶＰＥ）または分子線エピタクシー法（ＭＢＥ）を用いて成長基板上に成長させることができる。半導体積層体はたとえば、ＩｎｘＧａｙＡｌ１−ｘ−ｙＮベースの材料から形成することができ、ここで、０≦ｘ≦１、０≦ｙ≦１である。この場合には半導体積層体は、短波長の可視光域の１次光を、特に緑色から青色までの１次光を放出する構成となっている。
【０００９】
オプトエレクトロニクス半導体素子は、光出射面と、当該光出射面に対して横方向に延在する少なくとも１つの側面とを有する。この側面は有利には、前記光出射面に対して垂直に延在する。「少なくとも１つの側面」とは特に、半導体チップが円柱形の周面を有する場合、当該半導体チップが１つの側面を有することを意味し、半導体チップが直方体形である場合には、当該半導体チップの側面は４つとなる。
【００１０】
さらに、オプトエレクトロニクス半導体素子は有利には、湾曲が施された変換部材を有し、この変換部材は、前記１次光の少なくとも一部を２次光に変換するように構成されている。この２次光には、第２の波長領域または第２の（ピーク）波長を割り当てることができ、この第２の（ピーク）波長はとりわけ、前記第１の（ピーク）波長より長い。したがって前記変換部材は、短波長光によって励起されて長波長光を生成する、いわゆる「ダウンコンバージョン」を行うものである。
【００１１】
前記変換部材は有利には、前記オプトエレクトロニクス半導体素子表面に設けられている。
【００１２】
変換部材は特に、波長変換用に構成された少なくとも１つまたは複数の変換材を含む。たとえば、前記オプトエレクトロニクス半導体チップは青色光を放出し、この青色光の少なくとも一部は変換部材によって緑色および／または赤色および／または黄色光に変換され、これにより、前記半導体素子は動作中に白色光を放射することができる。前記変換部材はたとえば粒子の形態で、たとえばシリコーン等であるプラスチック等のマトリクス材料中に埋め込まれた状態で設けることができる。
【００１３】
さらに、前記オプトエレクトロニクス半導体素子は有利には、オプトエレクトロニクス半導体チップと変換部材との間に配置されたスペーサ部材も有する。スペーサ部材の、変換部材の方を向いた表面は、好適には湾曲して形成されている。変換部材はこの湾曲した表面に直接接触しており、この接触により、これに応じた湾曲が変換部材に形成される。有利には、スペーサ部材の湾曲した表面は、凸面状に湾曲している。たとえば当該湾曲した表面は、たとえば球セグメントの表面のように形成することができる。このことに応じて、変換部材の、スペーサ部材の方を向いた区切り面は、球セグメントの表面のような形状になる。
【００１４】
湾曲が施された変換部材の場合、変換場所において、その幾何学的形態が平面でないことにより、放射密度が低下するという利点が奏され、このことにより、変換部材の変換効率が高くなるという効果が奏される。それと同時に、上記変換部材を半導体チップ表面に設けた素子はコンパクトなサイズとなる。というのも、変換部材が半導体チップより大きな寸法となることはほぼ無いからである。
【００１５】
少なくとも１つの実施形態では、前記オプトエレクトロニクス半導体チップは面発光型である。これにより、オプトエレクトロニクス半導体チップは１次光の大部分を光出射面から放出することとなる。
【００１６】
湾曲が施された変換部材の上記の３次元構造により、面発光型でも比較的均一な放射特性を実現できるという利点が奏される。つまり、半導体素子から放出される混色光の色座標が放射角に依存して変動するのが小さくなる。
【００１７】
好適には前記オプトエレクトロニクス半導体チップは、良好な近似ではランバート面放射源となる薄膜チップである。薄膜チップにはとりわけ、成長基板が備えられていない。薄膜発光ダイオードチップの基本的原理は、たとえば I. Schnitzer et al., Appl. Phys. Lett. 63 (16), 18 October 1993, 2174 - 2176 に記載されている。これについての同刊行物の開示内容は、引用により本願の開示内容に含まれるものとする。
【００１８】
少なくとも１つの実施形態では、前記変換部材は均一な厚さの層として、前記湾曲した表面上に被着されている。このような均一な厚さの変換層により、変換部材内における光路長がほぼ均一になり、このことにより、角度に依存する変換割合がほぼ均一になるという利点が奏される。この層を１層から形成することができ、または、当該層が複数の部分層を含むこともできる。ここで、１つの部分層の最小層厚は、変換材粒子の粒径によって決定することができ、当該最小層厚はとりわけ５μｍである。
【００１９】
たとえば、前記変換部材をスペーサ部材の湾曲した表面にスプレー成膜（英語：Spray-Coating）することができる。また、スクリーン印刷法を用いて、またはスピンコーティング法を用いて、またはドクターブレード法を用いて変換部材を設けることも可能である。さらに、電気泳動を用いて変換材粒子を前記湾曲した表面に塗布することも可能である。その後、変換材粒子をマトリクス材料に埋め込むことによって前記湾曲した表面に固定することができる。
【００２０】
少なくとも１つの実施形態では、前記スペーサ部材の、前記変換部材の方を向いた湾曲した表面は、当該変換部材によって完全に覆われている。つまり、変換部材は特に、湾曲した表面の領域において材料の分断箇所を有さない。
【００２１】
少なくとも１つの実施形態では、半導体チップの前記少なくとも１つの側面は変換部材によって覆われている。変換部材の有利な形成方法では、製造コストを低く抑えるために、たとえばマスク等を用いて限られた領域にのみ成膜する規定通りの塗布は行わない。このことにより、変換部材は前記少なくとも１つの側面にも達し、場合によっては、半導体チップを固定した端子支持体にも達することになる。
【００２２】
少なくとも１つの実施形態では、前記スペーサ部材は半導体チップの光出射面と直接接触する。スペーサ部材は、光出射面に直接被着することができる。とりわけ、スペーサ部材は光出射面にのみ設けられている。有利には、前記少なくとも１つの側面はスペーサ部材によって覆われていない。
【００２３】
少なくとも１つの実施形態では、スペーサ部材は１次光に対して透過性である。とりわけ、前記スペーサ部材は透明プラスチック材料から、たとえばシリコーンから成る。
【００２４】
少なくとも１つの実施形態では、前記オプトエレクトロニクス半導体素子は光学部材を有し、この光学部材は前記変換部材表面に配置されている。
【００２５】
有利には前記光学部材は、ビーム成形を行うように構成されたレンズである。とりわけ、前記光学部材は、１次光と２次光とから成る混色光のビーム集束を行うように構成されている。有利には、前記光学部材は１次光と２次光とに対して透過性である。
【００２６】
少なくとも１つの実施形態では、光学部材は前記半導体チップから見て下流であって、かつ、当該半導体チップの光出射面と前記少なくとも１つの側面とに付着して配置されている。とりわけ、半導体チップが前記少なくとも１つの側面と光出射面とにおいて光学部材により覆われるように、光学部材は半導体チップ上方をアーチ状に覆う。好適には光学部材は、スペーサ部材と変換部材とが設けられた半導体チップの封止部として用いられる。こうすることにより、追加的な筐体を省略することができる。
【００２７】
少なくとも１つの実施形態では、オプトエレクトロニクス半導体素子は端子支持体を有し、この端子支持体上に前記オプトエレクトロニクス半導体チップが配置されている。とりわけ、前記オプトエレクトロニクス半導体チップは端子支持体に固定されている。さらに、端子支持体を用いて前記半導体チップの電気的接続を行うことができる。たとえば端子支持体は、基体と、当該基体内部および／または表面に設けられた電気的端子部分とを有する。たとえば、前記基体はセラミックから成る。この構成により、動作中に生じた熱を良好に排熱することができる。
【００２８】
動作中に混合光を放出する、上記構成のオプトエレクトロニクス半導体素子の製造方法の少なくとも１つの実施形態では、第１のステップにおいて、光出射面と、当該光出射面に対して横方向に延在する少なくとも１つの側面とを有するオプトエレクトロニクス半導体チップを準備する。このオプトエレクトロニクス半導体チップは、動作中に前記光出射面に１次光を透過させて放出するものである。次のステップにおいて、光出射面に材料バルクを配置することにより、スペーサ部材を形成する。有利には、湾曲した表面を生じさせるのに寄与するのは、この材料バルクの表面張力である。表面の湾曲は、材料バルクのサイズによって決定することができる。後続のステップにおいて、スペーサ部材の湾曲した表面に変換材料を設けることにより、湾曲した変換部材を形成する。
【００２９】
前記製造方法の少なくとも１つの実施形態では、スペーサ部材を形成するために用いられる材料バルクを液状で塗布する。その際に有利なのは、半導体チップの、前記光出射面の境界を成すチップエッジを、材料バルクに対するストップエッジとして用いることである。すなわち、チップエッジにより、材料バルクが当該チップエッジを越えて、たとえば前記少なくとも１つの側面にまで及ぶのが阻止される。有利には、材料バルクはニードルを用いて、前記半導体チップの光出射面に設けられる。
【００３０】
本製造方法の少なくとも１つの実施形態では、スプレー成膜法（英語：Spray-Coating）を用いて前記変換材料をスペーサ部材表面に設ける。有利には前記変換部材は、マトリクス材料と変換材粒子とを含むスプレー材から成る。とりわけ、マトリクス材料はスプレー材中に含まれている時点で既に、変換材粒子を包囲している。変換材粒子はたとえばマトリクス材料中において分散しており、全面においてマトリクス材料により包囲されている。マトリクス材料により、塗布後にスペーサ部材と変換材粒子との良好な付着を実現することができる。たとえば、樹脂系またはシリコーン含有のマトリクス材料を使用することができる。
【００３１】
さらに、スプレー材は有利には溶剤も含む。この溶剤は、変換材粒子とマトリクス材料との混合物を希釈化することにより、変換材料のスプレー塗布を容易にするものである。たとえば、ヘプタンを前記溶剤として用いることができる。ヘプタンはとりわけ、シリコーンを含有するマトリクス材料を用いる場合に適している。
【００３２】
本製造方法の少なくとも１つの実施形態では、前記スプレー材をスプレー装置のノズルから前記スペーサ部材表面にスプレー塗布する。複数の層を成すように前記スプレー材を半導体チップに塗布することができる。このようにして、変換材料を均一に塗布することができる。たとえば、第１の層を形成するために第１の一噴きを生じさせることができ、第２の層を形成するために第２の一噴きを生じさせることができる。これら２回の一噴きの合間に休止を入れ、各休止中にスプレー材を硬化させることにより、１つの薄層を形成することができる。
【００３３】
本製造方法の少なくとも１つの実施形態では、変換部材とスペーサ部材とが設けられた半導体チップに光学部材を一体成形する。このような光学部材は、成形材から形成することができる。とりわけ、前記変換部材とスペーサ部材とが設けられた半導体チップ表面に、この成形材を形状接続的に被着させる。このような被着は、たとえば射出成形、キャスティングまたはプリント法等の成形法で行うことができる。前記成形材は有利には、シリコーン等の透明プラスチック材料を含む。
【００３４】
以下、図面を参照して実施例を説明する。この説明から、更に他の利点、有利な実施形態および発展形態を導き出すことができる。
【図面の簡単な説明】
【００３５】
【図１】種々の実施例のオプトエレクトロニクス半導体素子の製造方法の一ステップを示す図である。
【図２】種々の実施例のオプトエレクトロニクス半導体素子の製造方法の一ステップを示す図である。
【図３】種々の実施例のオプトエレクトロニクス半導体素子の製造方法の一ステップを示す図であり、当該オプトエレクトロニクス半導体素子の概略的な側面図である。
【図４】種々の実施例のオプトエレクトロニクス半導体素子の製造方法の一ステップを示す図であり、当該オプトエレクトロニクス半導体素子の概略的な側面図である。
【００３６】
図１に、動作中に混色光を放出するオプトエレクトロニクス半導体素子の製造方法の第１のステップを示す。同図では、１つの光出射面１Ａと、当該光出射面１Ａに対して横方向に延在する複数の側面１Ｂとを有するオプトエレクトロニクス半導体チップ１を準備する。これら複数の側面１Ｂは、光出射面１Ａに対して特に垂直に延在する面である。オプトエレクトロニクス半導体チップ１は、１次光を生成するための活性領域（図中に示していない）を含む半導体積層体を有する。さらに、オプトエレクトロニクス半導体チップ１を電気的に動作させることができるように、オプトエレクトロニクス半導体チップ１に電気的コンタクトが設けられている（図中に示していない）。
【００３７】
半導体チップ１は端子支持体２上に配置される。とりわけ、半導体チップ１は端子支持体２に固定される。好適には端子支持体２は、半導体チップ１の電気的コンタクトにコンタクトする電気的端子部分（図示されていない）を有する。さらに端子支持体２は、内部および／または表面に前記端子部分を配置した基体を有することができる（図示されていない）。たとえば、前記基体はセラミックから成ることができる。
【００３８】
図２に第２のステップを示す。第２のステップでは、半導体チップ１の光出射面１Ａに材料バルクが配置されてスペーサ部材３が形成される。湾曲した表面３Ａを生じさせるのに寄与するのは、とりわけ液状で塗布される材料バルクの表面張力である。好適には、前記表面３Ａが所望の湾曲を有するように、規定通りに前記材料バルクを調量する。材料バルクはニードルを用いて、光出射面１Ａに規定通りに調量しながら被着することができる。とりわけ、半導体チップ１のチップエッジにより、材料バルクが側面１Ｂまではみ出すのが阻止される。このようにして形成されたスペーサ部材３の表面３Ａは、とりわけ凸状に湾曲する。表面３Ａは、球セグメントの表面のように形成することができる。それに対し、スペーサ部材３の、半導体チップ１に直接隣接する部分は、平坦な表面３Ｂを有することができる。
【００３９】
図３に第３のステップを示しており、同ステップでは、前記スペーサ部材の湾曲した表面３Ａ上に変換材料を設けて、湾曲した変換部材４を形成する。この変換部材４の、前記湾曲した表面３Ａの方を向いた区切り面（符号は付していない）の湾曲は、ここでは特に表面３Ａと同じとなっている。
【００４０】
変換材料は１つまたは複数の層の形態で、湾曲した表面３Ａ上に均等に設けられる。とりわけ、変換材料は上述の形態になるようにスプレー塗布される。
【００４１】
変換部材４の有利な形成方法では、製造コストを低く抑えるために、たとえばマスク等を用いて限られた領域にのみ成膜する規定通りの塗布は行わない。このようにすると、変換部材４は側面１Ｂと端子支持体２にも達することとなる。
【００４２】
図１〜３を参照して説明した方法により、動作中に混色光を放出するオプトエレクトロニクス半導体素子５が製造される。
【００４３】
この半導体素子５は、動作中に１次光６Ａを光出射面１Ａに透過させて放出するオプトエレクトロニクス半導体チップ１を有する。半導体素子５はさらに、湾曲が施された変換部材４も有し、この変換部材４は前記オプトエレクトロニクス半導体チップ１上に配置されており、１次光６Ａの少なくとも一部を２次光６Ｂに波長変換するように構成されている。オプトエレクトロニクス半導体チップ１は有利には面発光型であり、これにより、１次光６Ａの大部分を光出射面１Ａから放出することとなる。
【００４４】
湾曲が施された変換部材４の上記の３次元構造により、面発光型でも比較的均一な放射特性を実現できるという利点が奏される。つまり、半導体素子５から放出される混色光の色座標が放射角に依存して変動するのが小さくなる。
【００４５】
さらに、前記半導体素子５はスペーサ部材も有し、このスペーサ部材はオプトエレクトロニクス半導体チップ１と変換部材４との間に配置され、当該スペーサ部材の、変換部材４の方を向いた表面は湾曲しており、変換部材４はこの湾曲した表面と直接接触している。さらに、前記半導体素子５は端子支持体２も有し、この端子支持体２上に半導体チップ１が配置されている。また、半導体チップ１は端子支持体２を用いて接続可能に構成されている。
【００４６】
図３にて示したような構成のオプトエレクトロニクス半導体素子５には、筐体を追加して補完することもできる（図示されていない）。
【００４７】
図４には、第４のステップにおいて、前記スペーサ部材と変換部材４とが設けられた半導体チップ１に光学部材７を一体成形できることを示している。この光学部材７は成形材料から成ることができ、この成形材料は、変換部材４とスペーサ部材とが設けられた半導体チップ１表面に形状接続的に被着される。このような被着は、たとえば射出成形、キャスティングまたはプリント法等の成形法で行うことができる。
【００４８】
光学部材７は端子支持体２上に配置されている。また光学部材７は、半導体チップ１から見て下流であって、かつ、半導体チップ１の光出射面１Ａと側面１Ｂとに付着して配置されている。光学部材１が、スペーサ部材と変換部材４とが設けられた半導体チップ１の封止部を成すので、これにより筐体を追加する必要が無くなる。
【００４９】
光学部材７は１次光６Ａと２次光６Ｂとに対して透過性である。有利には光学部材７は、シリコーン等の透明プラスチック材料を含む。光学部材７は、ビーム成形のために構成されたレンズである。とりわけ光学部材７は、半導体素子５から放出された、１次光６Ａと２次光６Ｂとから成る混色光をビーム集束するように構成されている。
【００５０】
本発明は、実施例を参照した上記説明を以て、当該実施例に限定されることはない。むしろ本発明は、他のいかなる特徴も、また各特徴のいかなる組み合わせも包含しており、これには特に、請求項にて記載した各特徴のいかなる組み合わせも包含されている。このことは、他の特徴または他の組み合わせ自体が、特許請求の範囲または実施例に明示的に記載されていない場合にも同様に当てはまる。
【００５１】
本願は、独国特許出願第１０２０１２１１２３０７．１号の優先権を主張するものであり、これを引用することにより、その開示内容は本願の開示内容に含まれるものとする。
【図１】
2015537390.tif 000003
【図２】
2015537390.tif 000004
【図３】
2015537390.tif 000005
【図４】
2015537390.tif 000006
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
動作中に混色光を放出するオプトエレクトロニクス半導体素子（５）であって、
光出射面（１Ａ）と、当該光出射面（１Ａ）に対して横方向に延在する少なくとも１つの側面（１Ｂ）とを有し、かつ、動作中に当該光出射面（１Ａ）に１次光（６Ａ）を透過させて放出するオプトエレクトロニクス半導体チップ（１）、
前記１次光（６Ａ）の少なくとも一部を２次光（６Ｂ）に波長変換するように構成された変換部材（４）、および、
スペーサ部材（３）
を有し、
前記変換部材（４）には湾曲が施されており、
前記変換部材（４）は前記オプトエレクトロニクス半導体チップ（１）上に配置されており、
前記スペーサ部材（３）は前記オプトエレクトロニクス半導体チップ（１）と前記変換部材（４）との間に配置されており、
前記スペーサ部材（３）の、前記変換部材（４）の方を向いた表面（３Ａ）は湾曲しており、
前記変換部材（４）は、前記湾曲した表面（３Ａ）と直接接触し、
前記変換部材（４）は、前記湾曲した表面（３Ａ）に設けられた、均一な厚さの層であり、
前記少なくとも１つの側面（１Ｂ）は前記変換部材（４）により覆われており、かつ、前記スペーサ部材（３）により覆われていない
ことを特徴とするオプトエレクトロニクス半導体素子（５）。
【請求項２】
動作中に混色光を放出するオプトエレクトロニクス半導体素子（５）であって、
光出射面（１Ａ）と、当該光出射面（１Ａ）に対して横方向に延在する少なくとも１つの側面（１Ｂ）とを有し、かつ、動作中に当該光出射面（１Ａ）に１次光（６Ａ）を透過させて放出するオプトエレクトロニクス半導体チップ（１）、
前記１次光（６Ａ）の少なくとも一部を２次光（６Ｂ）に波長変換するように構成された変換部材（４）、および、
スペーサ部材（３）
を有し、
前記変換部材（４）には湾曲が施されており、
前記変換部材（４）は前記オプトエレクトロニクス半導体チップ（１）表面に配置されており、
前記スペーサ部材（３）は前記オプトエレクトロニクス半導体チップ（１）と前記変換部材（４）との間に配置されており、
前記スペーサ部材（３）の、前記変換部材（４）の方を向いた表面（３Ａ）は湾曲しており、
前記変換部材（４）は、湾曲した前記表面（３Ａ）と直接接触し、
前記少なくとも１つの側面（１Ｂ）は前記スペーサ部材（３）により覆われておらず、
前記スペーサ部材（３）は前記１次光（６Ａ）に対して透過性である
ことを特徴とするオプトエレクトロニクス半導体素子（５）。
【請求項３】
前記スペーサ部材（３）の、前記変換部材（４）の方を向いた湾曲した表面（３Ａ）は、前記変換部材（４）により完全に覆われている、
請求項１または２記載のオプトエレクトロニクス半導体素子（５）。
【請求項４】
前記スペーサ部材（３）の、前記変換部材（４）の方を向いた湾曲した表面（３Ａ）は、凸面状に湾曲している、
請求項１から３までのいずれか１項記載のオプトエレクトロニクス半導体素子（５）。
【請求項５】
前記スペーサ部材（３）は前記光出射面（１Ａ）と直接接触する、
請求項１から４までのいずれか１項記載のオプトエレクトロニクス半導体素子（５）。
【請求項６】
前記スペーサ部材（３）は前記１次光（６Ａ）に対して透過性である、
請求項１から５までのいずれか１項記載のオプトエレクトロニクス半導体素子（５）。
【請求項７】
前記スペーサ部材（３）は、透明プラスチック材料から成る、
請求項１から６までのいずれか１項記載のオプトエレクトロニクス半導体素子（５）。
【請求項８】
前記変換部材（４）表面に配置された光学部材（７）を備える、
請求項１から７までのいずれか１項記載のオプトエレクトロニクス半導体素子（５）。
【請求項９】
前記光学部材（７）は、前記半導体チップ（１）から見て下流であって、かつ、当該半導体チップ（１）の前記光出射面（１Ａ）と前記少なくとも１つの側面（１Ｂ）とに付着して配置されている、
請求項８記載のオプトエレクトロニクス半導体素子（５）。
【請求項１０】
前記光学部材（７）は、ビーム成形用に構成されたレンズである、
請求項８または９記載のオプトエレクトロニクス半導体素子（５）。
【請求項１１】
前記オプトエレクトロニクス半導体チップ（１）は、面発光型薄膜半導体チップである、
請求項１から１０までのいずれか１項記載のオプトエレクトロニクス半導体素子（５）。
【請求項１２】
動作中に混色光を放出するオプトエレクトロニクス半導体素子（５）の製造方法であって、
・光出射面（１Ａ）と、当該光出射面（１Ａ）に対して横方向に延在する少なくとも１つの側面（１Ｂ）とを有するオプトエレクトロニクス半導体チップ（１）であって、動作中に当該光出射面（１Ａ）に透過させて１次光（６Ａ）を放出するオプトエレクトロニクス半導体チップ（１）を準備するステップと、
・材料バルクを前記光出射面（１Ａ）に設けて、材料バルクの表面張力により、湾曲した表面（３Ａ）を生じさせて、スペーサ部材（３）を形成するステップと、
・前記スペーサ部材（３）の前記湾曲した表面（３Ａ）に変換材料を被着させることにより、湾曲した変換部材（４）を形成するステップと
を有し、
スプレー成膜法を用いて、前記変換材料（４）を前記湾曲した表面（３Ａ）に塗布し、
前記少なくとも１つの側面（１Ｂ）は前記変換部材（４）により覆われており、
前記少なくとも１つの側面（１Ｂ）は前記スペーサ部材（３）により覆われない
ことを特徴とする製造方法。
【請求項１３】
動作中に混色光を放出するオプトエレクトロニクス半導体素子（５）の製造方法であって、
・光出射面（１Ａ）と、当該光出射面（１Ａ）に対して横方向に延在する少なくとも１つの側面（１Ｂ）とを有するオプトエレクトロニクス半導体チップ（１）であって、動作中に当該光出射面（１Ａ）に透過させて１次光（６Ａ）を放出するオプトエレクトロニクス半導体チップ（１）を準備するステップと、
・スペーサ部材（３）を形成するため、材料バルクを前記光出射面（１Ａ）に設けて、材料バルクの表面張力により、湾曲した表面（３Ａ）を生じさせるステップと、
・湾曲した変換部材（４）を形成するため、前記スペーサ部材（３）の湾曲した前記表面（３Ａ）に変換材料を被着させるステップと
を有し、
前記少なくとも１つの側面（１Ｂ）は前記スペーサ部材（３）により覆われず、
前記スペーサ部材（３）は前記１次光（６Ａ）に対して透過性である
ことを特徴とする製造方法。
【請求項１４】
前記変換部材（４）と前記スペーサ部材（３）とが設けられた前記半導体チップ（１）に、光学部材（７）を一体成形する、
請求項１２または１３記載の製造方法。
【国際調査報告】
2015537390.tif 000007
2015537390.tif 000008
2015537390.tif 000009
2015537390.tif 000010